【手続補正書】
【提出日】平成22年6月11日(2010.6.11)
【手続補正１】
【補正対象書類名】特許請求の範囲
【補正対象項目名】全文
【補正方法】変更
【補正の内容】
【特許請求の範囲】
【請求項１】
定着体と、前記定着体に圧接可能な加圧体とを有し、記録媒体に記録された像の定着を前記定着体と前記加圧体によって行う画像形成装置であって、
前記定着体と前記加圧体とを離間する離間手段と、
前記定着体と前記加圧体とを前記離間手段によって離間させない状態で前記画像形成装置を省電力状態に移行させる制御手段とを有し、
前記制御手段は、前記画像形成装置を前記省電力状態に移行させた後、所定の時間が経過しても前記省電力状態からの復帰条件を満たさない場合に、前記離間手段によって前記定着体と前記加圧体とを離間させることを特徴とする画像形成装置。
【請求項２】
前記定着体と前記加圧体とを回転させる回転制御手段をさらに有し、
前記回転制御手段は、前記定着体と前記加圧体とを離間させない状態で前記画像形成装置を前記省電力状態に移行させた場合に、前記定着体と前記加圧体とを回転させることを特徴とする請求項１に記載の画像形成装置。
【請求項３】
定着体と、前記定着体に圧接可能な加圧体とを有し、記録媒体に記録された像の定着を前記定着体と前記加圧体によって行う画像形成装置であって、
前記加圧体と前記定着体を離間する離間手段と、
前記離間手段による離間回数を計測する回数計測手段とを有し、
前記画像形成装置が省電力状態に移行する場合に、前記回数計測手段による計測結果に基づいて、前記離間手段による離間を制御する制御手段とを有することを特徴とする画像形成装置。
【請求項４】
前記画像形成装置は、
前記回数計測手段による計測結果に基づいて、前記定着体と前記加圧体とを離間させない状態で省電力状態に移行する第１の省電力モードと、
前記回数計測手段による計測結果に基づいて、前記定着体と前記加圧体とを離間させた状態で省電力状態に移行する第２の省電力モードと
を有することを特徴とする請求項３に記載の画像形成装置。
【請求項５】
前記制御手段は、前記画像形成装置を前記定着体と前記加圧体とを離間させない状態で前記省電力状態に移行させた後、所定の時間が経過しても省電力状態からの復帰条件を満たさない場合に、前記離間手段は、前記定着体と前記加圧体とを離間させることを特徴とする請求項４に記載の画像形成装置。
【請求項６】
前記離間手段による離間の制御に関する履歴情報を記憶する記憶手段をさらに有し、
前記離間手段は、前記記憶手段に記憶された履歴情報に基づいて、前記離間を制御することを特徴とする請求項３乃至５のいずれか１項に記載の画像形成装置。
【請求項７】
前記離間手段は、前記記憶手段に記憶された、前記画像形成装置が前回、省電力状態にあった時間に関する情報に基づいて前記離間を制御することを特徴とする請求項６に記載の画像形成装置。
【請求項８】
定着体と、前記定着体に圧接可能な加圧体とを有し、記録媒体に記録された像の定着を前記定着体と前記加圧体によって行う画像形成装置の制御方法であって、
前記画像形成装置を、前記定着体と前記加圧体とを離間させない状態で省電力状態に移行させ、
前記画像形成装置が前記省電力状態に移行した後、所定時間経過しても前記省電力状態からの復帰条件を満たさない場合に、前記定着体と前記加圧体とを離間させることを特徴とする画像形成装置の制御方法。
【請求項９】
前記定着体と前記加圧体とを離間させない状態で前記画像形成装置が省電力状態に移行した場合に、前記定着体と前記加圧体とを回転させることを特徴とする請求項８に記載の画像形成装置の制御方法。
【請求項１０】
定着体と、前記定着体に圧接可能な加圧体と、前記加圧体と前記定着体を離間する離間手段とを有し、記録媒体に記録された像の定着を前記定着体と前記加圧体によって行う画像形成装置の制御方法であって、
前記定着体と前記加圧体の離間回数を計測し、
前記画像形成装置が省電力状態に移行する場合に、前記計測された離間回数に基づいて、前記離間手段による離間を制御することを特徴とする画像形成装置の制御方法。
【請求項１１】
前記画像形成装置は、
前記離間回数に基づいて、前記定着体と前記加圧体とを離間させない状態で省電力状態に移行する第１の省電力モードと、
前記離間回数に基づいて、前記定着体と前記加圧体とを離間させた状態で省電力状態に移行する第２の省電力モードと
を有することを特徴とする請求項１０に記載の画像形成装置の制御方法。
【請求項１２】
前記画像形成装置が前記定着体と前記加圧体とを離間させない状態で前記省電力状態に移行させた後、所定の時間が経過しても省電力状態からの復帰条件を満たさない場合に、前記定着体と前記加圧体とを離間させることを特徴とする請求項１１に記載の画像形成装置の制御方法。
【請求項１３】
前記離間手段による離間動作に関する履歴情報を記憶する記憶手段に記憶された履歴情報に基づいて、前記離間を制御することを特徴とする請求項１０乃至１２のいずれか１項に記載の画像形成装置の制御方法。
【請求項１４】
前記記憶手段に記憶された、前記画像形成装置が前回、省電力状態にあった時間に関する情報に基づいて、前記離間を制御することを特徴とする請求項１３に記載の画像形成装置の制御方法。
【請求項１５】
請求項１０乃至請求項１４のいずれかに記載の画像形成装置の制御方法を、コンピュータに実行させるためのプログラム。
【手続補正２】
【補正対象書類名】明細書
【補正対象項目名】発明の名称
【補正方法】変更
【補正の内容】
【発明の名称】画像形成装置、画像形成装置の制御方法、及びプログラム
【手続補正３】
【補正対象書類名】明細書
【補正対象項目名】０００１
【補正方法】変更
【補正の内容】
【０００１】
本発明は、未定着像の定着を行う定着装置を有する画像形成装置、画像形成装置の制御方法、及びプログラムに関する。
【手続補正４】
【補正対象書類名】明細書
【補正対象項目名】０００７
【補正方法】変更
【補正の内容】
【０００７】
本発明は上記従来の問題点に鑑み、定着装置のゴム層の変形防止と省電力効果の両立を図りつつ、離間機構の耐久性を良好に保つような制御を行うことができる画像形成装置、画像形成装置の制御方法、及びプログラムを提供することを目的とする。
【手続補正５】
【補正対象書類名】明細書
【補正対象項目名】０００８
【補正方法】変更
【補正の内容】
【０００８】
上記目的を達成するため、本願の請求項１に係る発明は、定着体と、定着体に圧接可能な加圧体とを有し、記録媒体に記録された像の定着を定着体と加圧体によって行う画像形成装置であって、定着体と加圧体とを離間する離間手段と、定着体と加圧体とを離間手段によって離間させない状態で画像形成装置を省電力状態にさせる制御手段とを有し、制御手段は、画像形成装置を省電力状態に移行させた後、所定の時間が経過しても省電力状態からの復帰条件を満たさない場合に、離間手段によって定着体と加圧体とを離間させることを特徴とする。
【手続補正６】
【補正対象書類名】明細書
【補正対象項目名】０００９
【補正方法】変更
【補正の内容】
【０００９】
また、本願請求項３に係る発明は、定着体と、定着体に圧接可能な加圧体とを有し、記録媒体に記録された像の定着を定着体と加圧体によって行う画像形成装置であって、加圧体と定着体を離間する離間手段と、離間手段による離間回数を計測する回数計測手段とを有し、画像形成装置が省電力状態に移行する場合に、回数計測手段による計測結果に基づいて、離間を制御する制御手段とを有することを特徴とする。
【手続補正７】
【補正対象書類名】明細書
【補正対象項目名】００１０
【補正方法】変更
【補正の内容】
【００１０】
本発明によれば、定着装置のゴム層の変形防止と省電力効果の両立を図りつつ、離間機構の耐久性を良好に保つような制御を行うことができる。